(57)【要約】【課題】電気的に遮蔽されたコネクタケーシングを、少なくとも１つの遮蔽メッシュを備えた電気ケーブルに結合するための遮蔽コンタクトを改良して、電気ケーブルの遮蔽メッシュが、接続支持体の差込み接続部を取り囲んでいる遮蔽スリーブと、簡単で工具を使用せずに接続される形式のものを提供する。【解決手段】接触支持体（２）が、コネクタケーシング内で接触部分（１１）を備えた遮蔽スリーブ（１０）によって取り囲まれて配置されており、前記接触部分（１１）によって、電気ケーブル（３）の遮蔽部（７，８）に対する導電接続が実現可能であり、前記接触部分（１１）が、オメガ形に成形された端部部材（１４）で外側の遮蔽部（７）または内側の遮蔽部（８）を接触接続するように包囲しているようにした。【選択図】図４
2008098170.tif 000002
【特許請求の範囲】
【請求項１】
電気的に遮蔽されたコネクタケーシングを、少なくとも１つの遮蔽メッシュを備えた電気ケーブルに結合するための遮蔽コンタクトであって、接触支持体（２）が、コネクタケーシング（１）内で接触部分（１１）を備えた遮蔽スリーブ（１０）によって取り囲まれて配置されており、前記接触部分（１１）によって、電気ケーブル（３）の遮蔽部（７，８）に対する導電接続が実現可能であり、前記接触部分（１１）が、オメガ形に成形された端部部材（１４）で外側の遮蔽部（７）または内側の遮蔽部（８）を、接触接続するように包囲していることを特徴とする、遮蔽コンタクト。
【請求項２】
接触部分（１１）が、遮蔽スリーブ（１０）から３辺で独立して、ばね弾性的に形成されている、請求項１記載の遮蔽コンタクト。
【請求項３】
３辺で切り離された弾性的な接触舌片（１３）が、前記接触部分（１１）から突出して設けられており、該接触舌片（１３）が、電気ケーブル（３）の内側の遮蔽部（８）との接触接続のために設けられている、請求項１または２記載の遮蔽コンタクト。
【発明の詳細な説明】
【技術分野】
【０００１】
本発明は、電気的に遮蔽されたコネクタケーシングを、少なくとも１つの遮蔽メッシュを備えた電気ケーブルに結合するための遮蔽コンタクトに関する。
【０００２】
この種の遮蔽コンタクトは、遮蔽された電気ケーブルから差込み接続部を介して放射される妨害放射線に対する遮蔽作用を確保するために必要とされる。
【背景技術】
【０００３】
遮蔽作用を有するコネクタを電気ケーブルの遮蔽部に結合することは、複数のバージョンで公知である。従って米国特許第６７８３３９７号明細書にはコネクタが示されていて、このコネクタの２つの部分から成る遮蔽ケーシングが、そのケーブル接続側に、電気ケーブルを保護するためにケーブルシースを中心にして曲げられるウェーブ付けされた金属ストリップを有している。
【０００４】
さらに米国特許第７０５２２９２号明細書には、アース構造を有するコネクタが記載されている。このアース構造は最終的に楕円形のリングになるか、もしくはリングになるように互いに折り曲げられ、ここで並置された２つの差動式信号線路の遮蔽部に接触接続する。この場合、リングは同時に信号線路の保持のために働く。
【特許文献１】米国特許第６７８３３９７号明細書
【特許文献２】米国特許第７０５２２９２号明細書
【発明の開示】
【発明が解決しようとする課題】
【０００５】
従って、本発明の課題は、冒頭で述べた形式の電気的に遮蔽されたコネクタケーシングを、少なくとも１つの遮蔽メッシュを備えた電気ケーブルに結合するための遮蔽コンタクトを改良して、電気ケーブルの遮蔽メッシュが、接続支持体の差込み接続部を取り囲んでいる遮蔽スリーブと、簡単で工具を使用せずに接続される形式のものを提供することである。
【課題を解決するための手段】
【０００６】
この課題を解決するために本発明の構成では、コネクタケーシング内で接触支持体が、接触部分を備えた遮蔽スリーブによって取り囲まれて配置されており、前記接触部分によって、電気ケーブルの遮蔽部に対する導電接続が実現可能であり、前記接触部分が、オメガ形に成形された端部部材で外側の遮蔽部または内側の遮蔽部を接触接続するように包囲しているようにした。
【０００７】
本発明の有利な構成が、請求項２および３に記載されている。
【発明の効果】
【０００８】
取囲み式の遮蔽スリーブを備えた図示のコネクタケーシングは、遮蔽された信号線路の伝達および、給電電圧もしくは給電電流の転送のために設けられている。本発明によって達成される利点は、特に、遮蔽コンタクトを備えた遮蔽スリーブが形成されているとうい点である。遮蔽コンタクトは、遮蔽ポテンシャルのコネクタへの伝送のために、遮蔽された電気ケーブルのケーブル遮蔽部に簡単に係止される。遮蔽コンタクトは、簡単で工具を使わない曲げによりケーブル遮蔽部にいわゆるオメガ端部部材でクランプするために、３辺で独立した接続舌片として形成されている。オメガ端部部材は、約４分の３の円になっている、外方に向いている折曲げ部を備えた管部材として成形されているので、ギリシャ語のオメガ（Ω）に相応する横断面が形成される。さらに、接触部分に３辺で切り離された別の接触舌片が組み込まれている。この接触舌片は、付加的な接触接続を許容する。
【０００９】
本発明に係る遮蔽コンタクトは、電気的に遮蔽されたコネクタケーシングを、少なくとも１つの遮蔽メッシュを備えた電気ケーブルに結合するための遮蔽コンタクトであって、接触支持体が、コネクタケーシング内で接触部分を備えた遮蔽スリーブによって取り囲まれて配置されており、前記接触部分によって、電気ケーブルの遮蔽部に対する導電接続が実現可能であり、前記接触部分が、オメガ形に成形された端部部材で外側の遮蔽部または内側の遮蔽部を、接触接続するように包囲していることを特徴とする。
【００１０】
コネクタを、電気ケーブルの遮蔽部にオメガ端部部材で結合するために、有利には複数の接続変化実施例が用いられる。
１  接触部分が、オメガ端部部材で電気ケーブルの外側の遮蔽部に作用する。
２  接触部分が、オメガ端部部材で相応に構成された電気ケーブルの内側の遮蔽部に作用し、この場合、舌片も内側の遮蔽部に必然的に作用する。
３  接触部分が、オメガ端部部材で外側の遮蔽部に作用し、接触舌片で内側の遮蔽部に作用する。
【００１１】
本発明に係る遮蔽コンタクトは、有利には、接触部分が、遮蔽スリーブから３辺で独立して、ばね弾性的に形成されている。
【００１２】
本発明に係る遮蔽コンタクトは、有利には、３辺で切り離された弾性的な接触舌片が、前記接触部分から突出して設けられており、該接触舌片が、電気ケーブルの内側の遮蔽部との接触接続のために設けられている。
【発明を実施するための最良の形態】
【００１３】
以下に、本発明を実施するための最良の形態を図面につき詳しく説明する。
【００１４】
図１には、遮蔽スリーブ１０によって取り囲まれた接触支持体２を有していて、信号線路５と給電線路とを内蔵する電気ケーブル３と接続されたいわゆるプッシュ・プルコネクタが示されている。前記遮蔽スリーブ１０にコネクタケーシング１が移動可能に配置されている。
【００１５】
図２には、電気的な差込み接触部を備えた接触支持体２と、この接触支持体２に接続された電気ケーブル３とが示されているが、この接触支持体２を取り囲むコネクタケーシング１は示されていない。この場合、信号線路５は共通の内側の遮蔽部８によって取り囲まれている。
【００１６】
図３には、ケーブル３の電気的な線路５，６を備えた電気的に絶縁している接触支持体２と、この接触支持体２を取り囲む、遮蔽するために設けられた導電性の遮蔽スリーブ１０とが示されている。この遮蔽スリーブ１０には、オメガ形に成形された端部部材１４を備えた接触部分１１が一体成形されている。端部部材１４と、この端部部材１４の遮蔽スリーブ１０との接続部の間の接触部分１１の範囲内に、電気ケーブル３に向いている、３辺で独立した接触舌片１３を備えたほぼ正方形の面１２が設けられている。この接触舌片１３は、信号線路５の共通の内側の遮蔽部８への付加的な接触接続を保証する。
【００１７】
図３ｂに示されているように、折り曲げられる接触部分１１は、電気ケーブル３の方向で曲げられているので、端部部材１４は、本例ではオメガ形の構造で、電気ケーブル３の外装４をクランプ作用によって包囲している。
【００１８】
図４ａには、やはり電気ケーブル３を備えた接触支持体２が示されている。電気ケーブル３は、その外側の外装４の下側に、全ケーブルに対して露出した外側の遮蔽部７と、信号線路５のためだけの別の共通の内側の遮蔽部８とを有している。
【００１９】
図４ｂには、折り曲げられる接触部分１１をやはり備えた遮蔽スリーブ１０を備えた接触支持体２が示されている。接触部分１１は、図４ｃではオメガ端部部材１４で外側の遮蔽部７と接触接続していて、同時に接触舌片１３が内側の遮蔽部８と接触接続している。
【００２０】
図５ａ、図５ｂおよび図５ｃには、やはり図４の一連の図に対して相対的に、遮蔽スリーブ１０のオメガ端部部材１４および接触舌片１３も、信号線路５の内側の遮蔽部８だけをクランプするように包囲し、かつ信号線路５の内側の遮蔽部８だけと接触接続しているのが示されている。
【図面の簡単な説明】
【００２１】
【図１】電気ケーブルを備えたコネクタを示した図である。
【図２】コネクタの接触支持体を示した図である。
【図３】図ａは、折り曲げられる接触部分を備えた、接触支持体を囲む遮蔽スリーブを備えた接触支持体を示した図であり、図ｂは、接触部分の、ケーブルを包囲する端部部材を示した図である。
【図４】図ａは、部分的に露出した電気ケーブルを備えた接触支持体を示した図であり、図ｂは、取囲み式の遮蔽スリーブと、折曲げ式の接触部分とを備えた接触支持体を示した図であり、図ｃは、取囲み式の遮蔽スリーブを備えた接触支持体と、電気ケーブルの外側の遮蔽部に接触接続している端部部材とを示した図である。
【図５】図ａは、遮蔽された信号線路を備えた接触支持体を示した図であり、図ｂは、折曲げ式の接触部分を有する取囲み式の遮蔽スリーブを備えた接触支持体を示した図であり、図ｃは、取囲み式の遮蔽スリーブを備えた接触支持体と、電気ケーブルの内側遮蔽部に接触接続している端部部材とを示した図である。
【符号の説明】
【００２２】
１  コネクタケーシング、  ２  接触支持体、  ３  電気ケーブル、  ４  外装、  ５  信号線路、  ６  供給線路、  ７  外側の遮蔽部、  ８  内側の遮蔽部、  １０  遮蔽スリーブ、  １１  接触部分、  １２  正方形面、  １３  接触舌片、  １４  オメガ端部部材
【図１】
2008098170.tif 000003
【図２】
2008098170.tif 000004
【図３】
2008098170.tif 000005
【図４】
2008098170.tif 000006
【図５】
2008098170.tif 000007